(57)【要約】【課題】恣意的に大当たりを誘発する不正行為を防止することができるようした遊技機、プログラム及び情報記憶媒体を提供する。【解決手段】乱数発生手段として、所定のカウント範囲の数値を周期的にカウントするカウンタと、遊技機の周囲音の音圧レベルを騒音レベル値として出力する騒音計と、を備えており、スタートスイッチの作動タイミングでカウンタから出力されるカウント値を取得するとともに、騒音計から出力される騒音レベル値を取得して、取得したカウント値及び騒音レベル値に基づいて抽選用乱数を発生させる。例えば、カウント値に対して騒音レベル値を加算することにより抽選用乱数に対して揺らぎを与えることができる。【選択図】図４
2007167373.tif 000002
【特許請求の範囲】
【請求項１】
抽選用乱数を発生させる乱数発生手段と、抽選用乱数に基づいて役の当否を決定する抽選を行う抽選手段とを備えた遊技機において、
前記乱数発生手段は、
所定のカウント範囲の数値を周期的にカウントするカウント手段と、
周囲音の音圧レベルを騒音レベル値として出力する騒音計と、
を含み、
所与の取得タイミングで前記カウント手段からカウント値を取得して、取得したカウント値と、前記騒音計から出力される騒音レベル値とに基づいて、前記抽選用乱数を発生させることを特徴とする遊技機。
【請求項２】
請求項１において、
前記乱数発生手段は、
前記カウント手段から取得したカウント値に対して前記騒音計から出力される騒音レベル値を加算することにより前記抽選用乱数を発生させることを特徴とする遊技機。
【請求項３】
請求項１又は２において、
前記乱数発生手段は、
前記騒音計から出力される騒音レベル値を前記カウント手段による数値のカウント範囲に基づいてスケーリングするスケーリング手段を含み、
前記カウント手段から取得したカウント値と、スケーリングされた騒音レベル値とに基づいて、前記抽選用乱数を発生させることを特徴とする遊技機。
【請求項４】
請求項１〜３のいずれかにおいて、
前記乱数発生手段は、
前記カウント手段から取得したカウント値が閾値より小さい場合には、取得したカウント値に対して前記騒音計から出力される騒音レベル値を加算することにより前記抽選用乱数を発生させ、
前記カウント手段から取得したカウント値が閾値より大きい場合には、取得したカウント値に対して前記騒音計から出力される騒音レベル値を減算することにより前記抽選用乱数を発生させることを特徴とする遊技機。
【請求項５】
抽選用乱数を発生させる乱数発生手段と、抽選用乱数に基づいて役の当否を決定する抽選を行う抽選手段としてコンピュータを機能させるプログラムであって、
前記乱数発生手段は、
所定のカウント範囲の数値を周期的にカウントするカウント手段から所与の取得タイミングでカウント値を取得して、取得したカウント値と、騒音計から出力される周囲音の音圧レベルを表す騒音レベル値とに基づいて、前記抽選用乱数を発生させることを特徴とするプログラム。
【請求項６】
コンピュータにより読み取り可能な情報記憶媒体であって、請求項５に記載のプログラムを記憶することを特徴とする情報記憶媒体。
【発明の詳細な説明】
【技術分野】
【０００１】
本発明は、遊技機、プログラム及び情報記憶媒体に関する。
【背景技術】
【０００２】
従来から外周面に図柄が配列された複数のリールを備えた遊技機（回胴遊技機、スロットマシン）が知られている。この種の遊技機は、メダルやパチンコ玉などの遊技媒体に対して一定の遊技価値を付与し、このような遊技媒体を用いて遊技を行うものである。また、この種の遊技機は、遊技者の操作に基づいて抽選を行って、抽選結果に基づいて遊技結果をリールに配列された図柄の組合せを用いて表示するとともに、遊技結果に応じてメダル等の払い出しなどを行う機能を備えている。一般に、遊技機における抽選は、乱数を用いて行われており、抽選用乱数の取得は、遊技者の遊技開始操作を契機として行われる。
【０００３】
しかしながら、抽選用乱数の発生には、一定時間毎にカウントアップを行うインクリメントカウンタのカウント値が利用されるため周期性（規則性）が生じる。このため悪意の遊技者が、いわゆる体感器（乱数発生周期に同期したタイミングを感知させる機器）などを利用して遊技開始操作のタイミングを不正に操って大当たりを誘発するという遊技の健全性に反する行為が発生する虜がある。したがって、このような体感器などを用いた不正行為を防止する社会的要請が存在する。
【特許文献１】特開２００３−２５０９７０号公報
【発明の開示】
【発明が解決しようとする課題】
【０００４】
本発明は、上記事情に鑑みてなされたものであり、その目的は、恣意的に大当たりを誘発する不正行為を防止することができるようした遊技機、プログラム及び情報記憶媒体を提供することにある。
【課題を解決するための手段】
【０００５】
（１）本発明は、抽選用乱数を発生させる乱数発生手段と、抽選用乱数に基づいて役の当否を決定する抽選を行う抽選手段とを備えた遊技機であって、前記乱数発生手段は、所定のカウント範囲の数値を周期的にカウントするカウント手段と、周囲音の音圧レベルを騒音レベル値として出力する騒音計と、を含み、所与の取得タイミングで前記カウント手段からカウント値を取得して、取得したカウント値と、前記騒音計から出力される騒音レベル値とに基づいて、前記抽選用乱数を発生させる遊技機に関するものである。
【０００６】
本発明において「乱数（値）」には、数学的な意味でランダムに発生する値のみならず、その発生自体は規則的であっても、その取得タイミングが不規則であったり、他の付加的な処理によって値に対して揺らぎが与えられたりすることによって、実質的に乱数として機能しうる値も含まれる。
【０００７】
本発明によれば、遊技機の設置環境や動作状況などに応じて多様に変化する周囲の音の大きさを利用することにより抽選用の乱数に揺らぎをもたらすことができる。このようにすることによって、カウント手段のカウント周期や当選に対応する乱数の値を不正に知り得たとしても、抽選用乱数を予測することができなくなるため、不正行為を効果的に抑止することができる。
【０００８】
（２）また本発明の遊技機では、前記乱数発生手段は、前記カウント手段から取得したカウント値に対して前記騒音計から出力される騒音レベル値を加算することにより前記抽選用乱数を発生させるようにしてもよい。このようにすれば、不正行為を働こうとする者に抽選用乱数の発生パターンを読み取られにくくなる。
【０００９】
（３）また本発明の遊技機では、前記乱数発生手段は、前記騒音計から出力される騒音レベル値を前記カウント手段による数値のカウント範囲に基づいてスケーリングするスケーリング手段を含み、前記カウント手段から取得したカウント値と、スケーリングされた騒音レベル値とに基づいて、前記抽選用乱数を発生させるようにしてもよい。このようにすれば、仮にカウント手段のカウントする数値の範囲と騒音レベル値として取りうる数値の範囲とがあまりにもかけ離れている場合であっても、騒音レベル値をスケーリングすることで適切な揺らぎを与えることができるように調整することができる。
【００１０】
（４）また本発明の遊技機では、前記乱数発生手段は、前記カウント手段から取得したカウント値が閾値より小さい場合には、取得したカウント値に対して前記騒音計から出力される騒音レベル値を加算することにより前記抽選用乱数を発生させ、前記カウント手段から取得したカウント値が閾値より大きい場合には、取得したカウント値に対して前記騒音計から出力される騒音レベル値を減算することにより前記抽選用乱数を発生させるようにしてもよい。このようにすれば、カウント手段のカウント範囲を超えた値が抽選用乱数として取得されてしまうことを防ぐことができる。なおカウント手段から取得したカウント値が閾値そのものであった場合には、加算するようにしてもよいし、減算するようにしてもよい。
【００１１】
（５）また本発明は、抽選用乱数を発生させる乱数発生手段と、抽選用乱数に基づいて役の当否を決定する抽選を行う抽選手段としてコンピュータを機能させるプログラムであって、前記乱数発生手段は、所定のカウント範囲の数値を周期的にカウントするカウント手段から所与の取得タイミングでカウント値を取得して、取得したカウント値と、騒音計から出力される周囲音の音圧レベルを表す騒音レベル値とに基づいて、前記抽選用乱数を発生させるプログラムに関するものである。
【００１２】
また本発明は、コンピュータにより読み取り可能な情報記憶媒体であって、上記各手段としてコンピュータを機能させるプログラムを記憶する情報記憶媒体に関するものである。
【００１３】
なお本発明に係るプログラムおよび情報記憶媒体では、上記（２）〜（４）に示す態様を適宜採用することができ、各態様に示した手段としてコンピュータを機能させることができる。
【発明を実施するための最良の形態】
【００１４】
以下、本発明の実施形態について説明する。なお、以下に説明する実施形態は、特許請求の範囲に記載された本発明の内容を不当に限定するものではない。また本実施形態で説明される構成の全てが、本発明の必須構成要件であるとは限らない。
【００１５】
１．構成
図１は、本発明の実施の形態に係る遊技機の外観構成を示す斜視図である。
【００１６】
本実施形態の遊技機は、いわゆるスロットマシンあるいは回胴型遊技機と呼ばれるもので、メダルを遊技媒体として用いた遊技を行う種類の遊技機である。
【００１７】
本実施形態の遊技機は、収納箱ＢＸ、前面上扉ＵＤ、および前面下扉ＤＤからなる箱形の筐体内に第１リールＲ１〜第３リールＲ３からなるリールユニットが収められている。また筐体内のリールユニットの下部には、メダルの払出装置としてのホッパーユニット（図示省略）が収められている。また本実施形態の遊技機の筐体内には、ＣＰＵ、ＲＯＭ、ＲＡＭ等を搭載し、遊技機の動作を制御する制御基板も収められている。
【００１８】
さらに本実施形態の遊技機には、筐体内に騒音計ＮＭが収められている。この騒音計ＮＭは、筐体を構成する収納箱ＢＸの側面に設けられた通孔ＨＬを通じて遊技機の周囲の音を検知して、その音圧レベルを騒音レベル値として出力する計測器である。騒音計ＮＭの出力配線は、同じく筐体内部に収められている制御基板に接続されている。なお通孔ＨＬ及び騒音計ＮＭの設置箇所は、図１に示すような収納箱ＢＸの側面側でなくてもよい。例えば、前面上扉ＵＤの正面に設けられた表示窓ＤＷの上方付近に設置されていてもよい。例えば、ヘッドフォンなどを通孔ＨＬに押し付けて、ヘッドフォンからの出力音量を常に一定に保つようにすると体感器による不正行為が可能になるため、不正行為の発見容易性の観点から、遊技機の目立ちやすい場所に通孔ＨＬ及び騒音計ＮＭを設置することが望まれる。
【００１９】
第１リールＲ１〜第３リールＲ３は、それぞれ外周面が一定の間隔で２１の領域（各領域を「コマ」と称する）に区画されており、各コマに複数種類の図柄のいずれかが配列されている。また第１リールＲ１〜第３リールＲ３は、ステップモータ（リール駆動手段：図示省略）に軸支されており、それぞれステップモータの軸周りに回転可能であって、ステップモータの駆動パルスのパルス数やパルス幅などを制御することによってコマ単位（所定の回転角度単位）で停止可能に設けられている。すなわち本実施形態の遊技機では、ステップモータが制御基板から供給された駆動パルスに応じて第１リールＲ１〜第３リールＲ３を回転駆動し、制御基板から駆動パルスの供給が断たれると、ステップモータの回転が停止することに伴って第１リールＲ１〜第３リールＲ３が停止する。
【００２０】
前面上扉ＵＤと前面下扉ＤＤとは個別に開閉可能に設けられており、前面上扉ＵＤには第１リールＲ１〜第３リールＲ３の回転状態及び停止状態を観察可能にする表示窓ＤＷが設けられている。第１リールＲ１〜第３リールＲ３の停止状態では、第１リールＲ１〜第３リールＲ３それぞれの外周面に一定間隔で配列された複数種類の図柄のうち３個分（３コマ分）の図柄を遊技機の正面から表示窓ＤＷを通じて観察できるようになっている。各リールＲ１〜Ｒ３の停止状態において、表示窓ＤＷから観察される図柄は、５本の有効ラインＬ１〜Ｌ５上のいずれかの位置に停止表示される。遊技者の遊技結果は表示窓ＤＷ内に停止表示された図柄の組合せによって判断され、有効ライン上の図柄の組合せが予め定められた役に対応した組合せである場合には、その役が入賞したものとしてホッパーユニットからメダルの払い出し等が行われる。
【００２１】
なお５本の有効ラインＬ１〜Ｌ５は、メダルの投入枚数（ベット数）に応じて有効化されるラインが決定される。本実施形態の遊技機では、１回の遊技に関して１枚〜３枚の範囲でメダルを投入可能とされており、前面下扉ＤＤに設けられたメダル投入口ＭＩへ１枚のメダルを投入した場合、１本の有効ラインＬ１が有効化され、メダル投入口ＭＩへ２枚のメダルを投入した場合、３本の有効ラインＬ１〜Ｌ３が有効化され、メダル投入口ＭＩへ３枚のメダルを投入した場合、５本の有効ラインＬ１〜Ｌ５が全て有効化される。
【００２２】
また前面上扉ＵＤには、遊技情報表示部ＤＳが設けられている。遊技情報表示部ＤＳは、ＬＥＤ、ランプ、７セグメント表示器等からなり、メダルの貯留枚数（クレジット）、１回の遊技におけるメダルの払出枚数（又は獲得枚数）、ボーナス遊技の残り回数等の各種遊技情報が表示される。
【００２３】
また前面下扉ＤＤには、各種の操作手段が設けられている。操作手段としては、貯留されたメダルを投入状態にする操作を行うためのベットボタンＢ０、第１リールＲ１〜第３リールＲ３を回転させて遊技を開始する契機となる操作を行うためのスタートレバーＳＬ、回転している複数のリールＲ１〜Ｒ３のそれぞれを停止させる契機となる操作を行うためのストップボタンＢ１〜Ｂ３が設けられている。
【００２４】
本実施形態の遊技機では、遊技者がメダルをメダル投入口ＭＩに投入するか、ベットボタンＢ０を押下する操作を行うことで、遊技を開始することが可能な準備状態にセットされる。そして、遊技者がスタートレバーＳＬを押下すると、第１リールＲ１〜第３リールＲ３がステップモータの駆動により回転を開始し、第１リールＲ１〜第３リールＲ３の回転速度が所定の速度まで上昇し、かつ所定の待機時間（ウェイトタイム）を経過したことを条件に、ストップボタンＢ１〜Ｂ３の押下操作が許可される。その後、遊技者が任意のタイミングでストップボタンＢ１〜Ｂ３を押下していくと、その押下タイミングに応じて第１リールＲ１〜第３リールＲ３が停止する。
【００２５】
また前面下扉ＤＤの下部には、メダル払い出し口ＭＯとメダル受け皿ＭＰとが設けられており、遊技の結果に応じた枚数のメダルがメダル払い出し口ＭＯからメダル受け皿ＭＰへ払い出される。
【００２６】
なお本実施形態の遊技機には、必要に応じて前面上扉ＤＷや前面下扉ＤＤに対して液晶パネルを設けることができる。この場合、液晶パネルによって遊技演出や各種の遊技情報の表示を行うようにしてもよい。
【００２７】
図２は、本実施形態の遊技機の機能ブロック図である。
【００２８】
本実施形態の遊技機は、遊技制御手段１００によって制御される。遊技制御手段１００は、騒音計２００、メダル投入スイッチ２１０、ベットスイッチ２２０、スタートスイッチ２３０、ストップスイッチ２４０等の入力手段からの入力信号を受けて、遊技を実行するための各種の演算を行い、演算結果に基づいてリールユニット３１０、払出装置（ホッパーユニット）３２０、表示装置３３０、スピーカ３４０等の出力手段の動作制御を行う。遊技制御手段１００の機能は各種のプロセッサ（ＣＰＵ、ＤＳＰなど）、ＡＳＩＣ（ゲートアレイなど）、ＲＯＭ、あるいはＲＡＭなどのハードウェアや、所与のプログラムからなるソフトウェアにより実現される。
【００２９】
そして遊技制御手段１００は、乱数発生手段１１０、抽選手段１２０、リール停止制御手段１３０、演出制御手段１４０、入賞チェック手段１５０、払出制御手段１６２、リプレイ処理手段１６４、モード移行制御手段１６６、記憶手段１７０を含む。
【００３０】
乱数発生手段１１０は、騒音計２００と協働して抽選用の乱数値を発生させる手段である。
【００３１】
騒音計２００は、遊技機の周囲音の音圧レベル（ｄＢ：デシベル）を騒音レベル値として出力する計測器である。図３に騒音計２００の構成例を示す。
【００３２】
騒音計２００は、マイク（マイクロフォン）２０１、フロントエンド回路部２０２、実効値レベル化回路部２０５を含む。
【００３３】
マイク２０１は、遊技機の周囲音を検知して、所与の電気信号に変換する。フロントエンド回路部２０２は、周囲音を検知した結果を交流出力する回路部であって、マイク２０１の出力する微弱な電気信号を増幅するプリアンプ２０３と、増幅された電気信号を可聴周波数範囲内（例えば、２０Ｈｚ〜２０ｋＨｚ）で重み付けを行うことで聴感的な音の大きさ（音圧）を求める周波数補正回路２０４（出力ｏｕｔ１参照）とからなる。また実効値レベル化回路部２０５は、フロントエンド部２０２から出力される交流電気信号に基づいて直流電気信号の騒音レベル値を算出してデジタル出力する回路部であって、周波数補正された電気信号を変調することにより、周囲音の２乗音圧を演算する２乗回路２０６（出力ｏｕｔ２参照）と、変調された電気信号を回路の時定数に応じて検波する時定数回路２０７と、検波された周囲音の音圧の実効値（音圧レベル）を対数変換（デシベル化）する対数演算回路２０８（出力ｏｕｔ３参照）と、騒音レベル値（ｄＢ）のアナログ信号をサンプリングして一定期間保持するサンプルホールド機能を有するＡＤコンバータ２０９（出力ｏｕｔ４参照）とからなる。
【００３４】
さらに乱数発生手段１１０は、騒音計２００（第２の乱数要素発生手段）の他にカウント手段１１２（第１の乱数要素発生手段）、及びスケーリング手段１１４を含む。
【００３５】
カウント手段１１２は、所定のカウント範囲（例えば、０〜６５５３５）の数値を周期的にカウントするインクリメントカウンタ（あるいはデクリメントカウンタ）によって実現される。すなわちカウント手段は、定期的に数値をカウントアップ（あるいはカウントダウン）させ、カウント範囲を循環するように数値をカウントするカウンタである。本実施形態の遊技機では、遊技者のスタートレバーＳＬの押下操作を契機として作動するスタートスイッチ２３０からの遊技スタート信号に基づくタイミング（所与の取得タイミング）においてカウント手段１１２のカウント値が取得（ラッチ）される。これによりカウント手段１１２のカウント値は、数学的な意味でランダムに発生する値ではなく、ある規則性のある値としてとらえられるが、一般的に取得タイミングが遊技毎に不規則に変化することを考慮すると、実質的に乱数として機能しうる値（擬似的な乱数値）であるといえる。
【００３６】
そして乱数発生手段１１０では、所与の取得タイミングでカウント手段１１２からカウント値を取得して、取得したカウント値と、騒音計２００から出力される騒音レベル値とに基づいて、抽選用乱数を発生させる。具体的には、カウント手段１１２から取得されるカウント値及び騒音計２００から取得される騒音レベル値は、記憶部１７０の乱数要素記憶手段１７２に一時記憶され、例えば、カウント値と騒音レベル値とを加算したり、カウント値から騒音レベル値を減算したりすることなどにより抽選用乱数を求めることができる。なお抽選用乱数を発生させるための演算規則としては、上述した加算や減算のみならず乗算や除算など、任意の四則演算を利用してもよい。
【００３７】
また騒音計２００から出力される騒音レベル値は、カウント手段１１２からカウント値を取得するタイミングと同期させて取得してもよいし、カウント値を取得するタイミングとは異なるタイミングで取得するようにしてもよい。また、カウント値を取得する契機と騒音レベル値を取得する契機とは、同じであってもよいし、異なっていてもよい。例えば、カウント値は、遊技毎のスタートスイッチ２３０の作動を契機として取得し、騒音レベル値は、前回の遊技におけるスタートスイッチ２３０やストップスイッチ２４０の作動を契機として取得するようにしてもよい。
【００３８】
スケーリング手段１１４は、騒音計２００から出力される騒音レベル値をカウント手段１１２による数値のカウント範囲に基づいてスケーリングする処理を行う。例えば、カウント手段１１２のカウント範囲が０〜６５５３５であるときに、これに対する騒音計２００による騒音レベル値の範囲が、例えば、０（ｄＢ）〜１２０（ｄＢ）であるとすると、抽選テーブルの設定の仕方によっては、騒音計２００の出力結果により与える揺らぎが不十分になる場合もある。このような場合に、例えば、騒音レベル値を１０倍にするようにスケーリングすると、スケーリング後の騒音レベル値の取りうる範囲は、０〜１２００となり、抽選用乱数に対して適切な揺らぎを与えることができるようになる。
【００３９】
抽選手段１２０は、遊技者がスタートレバーＳＬを押下することで作動するスタートスイッチ２１０からの遊技スタート信号に基づいて抽選を行う手段であって、抽選テーブル選択処理、乱数判定処理、フラグ設定処理などを行う。
【００４０】
抽選テーブル選択処理では、抽選テーブル記憶手段１７４に格納されている複数の抽選テーブルのうちいずれの抽選テーブルを用いて抽選を行うかを決定する。本実施形態の遊技機では、通常モード、ビックボーナスモード（ＢＢモード）、レギュラーボーナスモード（ＲＢモード）という複数種類の遊技モードが設定されており、抽選テーブル記憶手段１７４には、各遊技モード用の抽選テーブルが記憶されている。そして各遊技モード用の抽選テーブルでは、複数の乱数値（例えば、０〜６５５３５の６５５３６個の乱数値）のそれぞれに対してリプレイ（再遊技役）、小役（入賞に伴い所定枚数のメダルが払い出される役）、ビックボーナス（ＢＢ）、レギュラーボーナス（ＲＢ）などの各種の役もしくはハズレのいずれかが対応づけられている。
【００４１】
乱数判定処理（いわゆる内部抽選）では、スタートスイッチ２１０からの遊技スタート信号に基づいて１回の遊技につき乱数発生手段１１０から１の乱数値（抽選用乱数）を取得し、取得した乱数値について抽選テーブル記憶手段１７４に記憶されている抽選テーブルを参照して役に当選したか否かを判定する。
【００４２】
フラグ設定処理では、乱数判定の結果に基づいて、当選したと判定された役のフラグを非内部当選状態（第１の状態、オフ状態）から内部当選状態（第２の状態、オン状態）に設定する。フラグの設定情報は、記憶手段１７０に設けられたフラグ記憶手段１７６に格納される。また本実施形態では、入賞するまで次回以降の遊技に内部当選状態を持ち越し可能なフラグ（第１の種類のフラグ）と、入賞の如何に関わらず次回以降の遊技に内部当選状態を持ち越さずに非内部当選状態にリセットされるフラグ（第２の種類のフラグ）とが用意されている。前者のフラグが対応づけられる役としては、ビックボーナス（ＢＢ）やレギュラーボーナス（ＲＢ）があり、それ以外の役（例えば、小役、リプレイ等）は後者のフラグに対応づけられている。
【００４３】
リール停止制御手段１３０は、遊技者がストップボタンＢ１〜Ｂ３（操作手段）を押下（停止操作）することにより作動するストップスイッチ２４０からのリール停止信号に基づいて、回転している第１リールＲ１〜第３リールＲ３をフラグの設定状態に応じて停止させる停止制御を行う。本実施形態の遊技機では、記憶手段１７０の停止制御テーブル記憶手段１７８に記憶されている停止制御テーブルを参照して停止制御を行うテーブル方式を採用している。具体的には、停止制御テーブルを参照してストップボタンＢ１〜Ｂ３の押下タイミング等（停止操作の態様）に応じた第１リールＲ１〜第３リールＲ３の停止位置を決定し、決定された停止位置で第１リールＲ１〜第３リールＲ３が停止するようにリールユニット３１０のステップモータへの駆動パルスの供給を停止することによりリールの停止制御が行われる。
【００４４】
またリール停止制御手段１３０は、いわゆる引き込み処理と蹴飛ばし処理とをリールを停止させる制御として行っている。引き込み処理とは、フラグが内部当選状態に設定された役に対応する図柄が有効ライン上に停止するようにリールを停止させる制御処理である。一方蹴飛ばし処理とは、フラグが非内部当選状態に設定された役に対応する図柄が有効ライン上に停止しないようにリールを停止させる制御処理である。すなわち本実施形態の遊技機では、上記引き込み処理及び蹴飛ばし処理を実現させるべく、フラグの設定状態、ストップボタンＢ１〜Ｂ３の押下タイミングや押下順序、既に停止しているリールの停止位置（あるいは有効ラインＬ１〜Ｌ５上に停止している図柄の種類）に応じて各リールの停止位置が変化するように停止制御テーブルが設定されている。このようにリール停止制御手段１３０は、フラグが内部当選状態に設定された役の図柄を入賞の形態で停止可能にし、一方でフラグが非内部当選状態に設定された役の図柄が入賞の形態で停止しないように第１リールＲ１〜第３リールＲ３を停止させる停止制御を行っている。
【００４５】
演出制御手段１４０は、ランプ、ＬＥＤ、液晶ディスプレイ等の表示装置３３０を用いて行う表示演出やスピーカ３４０から出力される音による音演出に関する制御を行う。具体的には、メダルの投入やベットボタンＢ０、スタートレバーＳＬ、ストップボタンＢ１〜Ｂ３の押下操作などの遊技イベントの発生に応じてランプやＬＥＤを点灯させたり、液晶ディスプレイが設けられている場合には、その表示内容を変化させたり、スピーカ３４０から音を出力させたりすることにより、遊技を盛り上げたり、遊技を補助するための演出制御を行う。
【００４６】
入賞チェック手段１５０は、第１リールＲ１〜第３リールＲ３の停止状態に基づいて、遊技結果（役が入賞したかどうか）を判定し、判定結果に基づいてメダルの払出制御、リプレイ処理、モード移行制御のいずれを行うかを決定する処理を行う。例えば、小役が入賞した場合には払出制御手段１６２にメダルの払出制御を行わせ、リプレイが入賞した場合には、リプレイ処理手段１６４にリプレイ処理を行わせ、ＢＢやＲＢが入賞した場合にはモード移行制御手段１６６にモード移行制御を行わせるようにする分岐処理を行う。
【００４７】
払出制御手段１６２は、遊技結果に応じたメダルの払い出しに関する制御を行う。具体的には、何らかの役に入賞した場合に、入賞役に対応するメダルの払出枚数をホッパーユニット３２０（払出装置）に対して指示する制御を行う。ホッパーユニット３２０は、指示された払出枚数のメダルを払い出す動作を行う。なおメダルの貯留（クレジット）が許可されている場合には、メダルの払い出しを行う代わりに記憶手段１７０の図示しない貯留メダル枚数記憶領域に記憶されている貯留メダル枚数に対して払出枚数を加算する処理を行う。
【００４８】
リプレイ処理手段１６４は、リプレイ（再遊技役）が入賞した場合に、次回の遊技に関してメダルの投入を要さずに前回の遊技と同じ準備状態に設定するリプレイ処理（再遊技処理）を行う。すなわち本実施形態の遊技機では、リプレイが入賞した場合、自動的に前回の遊技と同じ有効ラインを有効化した状態で次回の遊技の開始操作（遊技者によるスタートレバーＳＬの押下操作）を待機する。
【００４９】
モード移行制御手段１６６は、所定のモード移行条件に基づいて、通常モード、ビックボーナスモード（ＢＢモード）、及びレギュラーボーナスモード（ＲＢモード）の各遊技モード間のモード移行制御を行う。モード移行条件は、１の条件が定められていてもよいし、複数の条件が定められていてもよい。複数の条件が定められている場合には、複数の条件のうち１の条件が成立したことに基づいて、各遊技モード間でモード移行することができるものとする。
【００５０】
ＢＢモードは、通常モードから移行する遊技モードであって、通常モードにおいてビックボーナス（ＢＢ）に内部当選した場合に、所定のビックボーナス図柄（ＢＢ図柄）を入賞の形態で停止させることをモード開始条件とする遊技モードである。またＢＢモードは、ボーナス遊技において所定枚数（４６５枚以下の予め定められた枚数）のメダルが払い出されたことをモード終了条件とし、そのモード終了条件が満たされた場合には遊技モードが通常モードへ移行するようにモード移行制御される。
【００５１】
ＲＢモードは、ＢＢモードと同じように通常モードから移行する遊技モードであって、通常モードにおいてレギュラーボーナス（ＲＢ）に内部当選した場合に、所定のレギュラーボーナス図柄（ＲＢ図柄）を入賞の形態で停止させることをモード開始条件とする遊技モードである。またＲＢモードは、所定回数（１２回）のボーナス遊技が行われたこと、あるいはボーナス遊技において所定回数（８回）の入賞が達成されたことのいずれかをモード終了条件とし、そのモード終了条件が満たされた場合には通常モードへ復帰するようにモード移行制御される。
【００５２】
なおＢＢモード及びＲＢモードでのボーナス遊技では、入賞に伴い所定枚数のメダルが払い出される役の種類や入賞確率が上昇するように制御される。すなわち、ＢＢモード及びＲＢモードは、通常モードよりも多くのメダルが獲得しやすくなっており、遊技者にとって有利な遊技モードといえる。
【００５３】
なお本実施形態の機能ブロック構成は、コンピュータシステム（ゲームシステムを含む）に関しても適用することができる。これらのシステムでは、本実施形態の遊技制御手段１００としてコンピュータを機能させるプログラムを、ＣＤ、ＤＶＤ等の情報記憶媒体あるいはインターネット上のＷｅｂサーバからネットワークを介してダウンロードすることによって、その機能を実現することができる。また上記コンピュータシステムでは、メダル投入スイッチ２１０、ベットスイッチ２２０、スタートスイッチ２３０、ストップスイッチ２４０等は、キーボードやポインティングデバイス（マウス等）、あるいはコントローラなどの操作手段に対してそれらの機能を仮想的に割り当てることにより実現することができる。また上記コンピュータシステムでは、リールユニット３１０やホッパーユニット３２０などは必須の構成要件ではなく、これらの装置ユニットは、ディスプレイ（表示装置３３０）に表示出力される画像の制御によってそれらの機能を仮想的に実現することができる。
【００５４】
２．本実施形態の乱数発生手法
次に、図４〜図１０を参照しながら、本実施形態の遊技機で採用されている乱数発生手法を詳細に説明する。
【００５５】
本実施形態では、遊技を開始する契機となるスタートレバーの押下に伴うスタートスイッチの作動時に、このタイミングで取得したカウンタ（カウント手段）のカウント値と、周囲音の音量（音圧）に基づき得られる騒音レベル値とを合成した数値を抽選用の乱数値として用いるようにすることで、体感器などを用いた不正行為を防止するようにした乱数発生手法を採用している。
【００５６】
具体的には、図４に示すように、スタートスイッチのオン動作時に、そのタイミングＴにおけるカウンタの出力（カウント値Ａ）及び騒音計の出力（騒音レベル値Ｂ）を取得する。そしてカウント値Ａと騒音レベル値Ｂとを加算（Ａ＋Ｂ）することによって、抽選要覧数Ｃ（＝Ａ＋Ｂ）を得ることができる。例えば、カウント値Ａが４９１５２（Ｃ０００）で騒音レベル値Ｂが１００ｄＢであった場合には、抽選用乱数Ｃは、４９２５２（Ｃ０６４）となる。
【００５７】
ここで抽選用乱数Ｃを用いる内部抽選において参照される抽選テーブルとの関係を説明する。
【００５８】
例えば、図５（Ａ）に示すように、抽選テーブルで設定されている当選役（ビックボーナス（ＢＢ）、レギュラーボーナス（ＲＢ）、リプレイ、小役Ａ、小役Ｂ）が抽選用乱数Ｃ（０（００００）〜６５５３５（ＦＦＦＦ））に対して規則的かつ連続的に割り当てられている場合、上記の図４に示す例のように騒音レベル値Ｂを単純に加算するだけでは、抽選用乱数Ｃの揺らぎの幅としては不十分なことがある。具体的には、仮にビックボーナス（ＢＢ）の当選確率を１／３００程度に設定しようとすると、ビックボーナスに割り当てられる抽選用乱数Ｃの数は、２００を越えることになる。すると、おおよそ１２０ｄＢ程度が最大の騒音レベル値Ｂであることを考慮すると、抽選結果が受ける揺らぎの影響が少なすぎて不正行為の対策としては不十分となるおそれがある。
【００５９】
このため、抽選テーブルを図５（Ｂ）に示すように、当選役と抽選用乱数Ｃとの対応関係を不規則かつ離散的に設定することで、騒音レベル値Ｂを単純加算したことによる抽選用乱数Ｃの揺らぎが抽選結果に与える影響度が大きくなり、抽選結果をより予測しにくいものとすることができる。
【００６０】
また図５（Ａ）に示すような比較的規則性のある抽選テーブルを使用する場合でも、以下に示すように、抽選用乱数Ｃの発生手法を改良することで対処することもできる。
【００６１】
例えば、図６に示すように、騒音レベル値Ｂをカウント値Ａと加算する前にスケーリングして揺らぎの幅を調整する手法が考えられる。具体的には、スタートスイッチのオン動作時であるタイミングＴでカウント値Ａと騒音レベル値Ｂを取得した後、騒音レベル値Ｂについては、スケーリングパラメータを乗算（１０倍）することによりスケーリング後の騒音レベル値Ｂ´（＝Ｂ×１０）を得る。そしてカウント値Ａと騒音レベル値Ｂ´を加算（Ａ＋Ｂ´）することにより抽選用乱数Ｃを得る。このようにすれば、揺らぎの幅は、スケーリングパラメータの倍率に応じて増幅するので、不正行為をより効果的に抑止することができるようになる。なおスケーリングは、スケーリングパラメータを乗算するばかりでなく、スケーリングパラメータを加算して行ってもよい。またスケーリングパラメータは固定値でなくともよく、例えば、抽選テーブルを切り替える設定変更などを契機としてスケーリングパメータを変更できるようにしておいてもよい。
【００６２】
ところで、図４や図６で示した例では、カウント値Ａと騒音レベル値Ｂ又はスケーリングした騒音レベル値Ｂ´を加算するものであった。このような乱数発生手法を採用する場合、カウンタの数値のカウント周期との整合性を取るために、加算値がカウント範囲を超えた場合（例えば、６５５３５を越えた場合）には、抽選用乱数Ｃを初期値に循環して差分をインクリメントするという処理が必要となる。例えば、カウント値Ａが６５５３３で騒音レベル値Ｂが１００ｄＢであった場合、加算値は６５６３３となるが、抽選用乱数Ｃは、９７となるように求める処理が必要となる。
【００６３】
このような処理の煩雑性を改良するためには、例えば、カウンタによる数値のカウント範囲（カウント値Ａの取りうる範囲、例えば、０〜６５５３５）に閾値Ａｔｈ（例えば、３２７６８（８０００））を設定しておき、遊技毎に取得されたカウント値Ａと閾値Ａｔｈとの大小関係により騒音レベル値Ｂを加算するのか、それとも減算するのかを切り替えるようにする手法が考えられる。
【００６４】
具体的には、図７（Ａ）に示すように、タイミングＴ１でカウント値Ａと騒音レベル値Ｂとを取得した場合には、カウント値Ａが閾値Ａｔｈを上回っているので、抽選用乱数Ｃがカウント範囲（０〜６５５３５）を外れることがないようにカウント値Ａから騒音レベル値Ｂを減算して抽選用乱数Ｃを求めるようにする。
【００６５】
一方、図７（Ｂ）に示すように、タイミングＴ２でカウント値Ａと騒音レベル値Ｂとを取得した場合には、カウント値Ａが閾値Ａｔｈを下回っているので、抽選用乱数Ｃがカウント範囲（０〜６５５３５）を外れるおそれがないため、カウント値Ａと騒音レベル値Ｂとを加算することにより抽選用乱数Ｃを求める。
【００６６】
このように図７（Ａ）及び図７（Ｂ）に示すような乱数発生手法であれば、加算と減算とが閾値Ａｔｈとの大小関係に応じて切り替えられることにより、常にカウンタのカウント範囲内で抽選用乱数Ｃが求められるようになる。
【００６７】
なお閾値Ａｔｈは、カウント値Ａに加算される値の取りうる範囲に応じて設定することができる。例えば、騒音レベル値Ｂが０〜１２０ｄＢの範囲で値を取りうる場合には、閾値Ａｔｈを高めに設定しておくことができ、図６の例のように騒音レベル値Ｂをスケーリングするような場合には、スケーリングパラメータの大きさに応じて閾値Ａｔｈを低めに設定しておくことができる。
【００６８】
上記の図４〜図７を参照して説明した本実施形態の乱数発生手法によれば、カウンタから取得したカウント値に、常に変化する周囲音の騒音レベル値を加味した値を抽選用乱数とすることにより、体感器などを利用して所定の当選役（例えば、ビックボーナス）を誘発することが困難となるため、不正行為を効果的に防止することができるようになる。
【００６９】
ここで騒音計で検知される遊技機の周囲音は、様々な音の合成音であり、例えば、自機や隣接する他機の演出動作時に発生する音や遊技機の設置される遊技場で流されている背景音（ＢＧＭ）や遊技場内でのアナウンス放送などが組み合わされた音である。
【００７０】
ここで騒音レベル値の指標を示すと、０ｄＢは最小可聴音（人間が聞き取れる限界の音）とされ、２０ｄＢ〜４０ｄＢ付近が深夜の郊外で聞こえる音、４０ｄＢ〜６０ｄＢ付近が小さい声の会話や閑静な住宅街で聞こえる音、８０ｄＢ〜１００ｄＢ付近が昼間の街頭で聞こえる音、１００ｄＢ〜１２０ｄＢが地下鉄車内で聞こえる音、１２０ｄＢ以上はジェットエンジンの音に相当すると言われている。このため遊技場内で発生している音、すなわち遊技機の周囲音は、おおよそ６０ｄＢ程度から１２０ｄＢ程度の間で不規則に変動しているものと考えられる。
【００７１】
また上述した遊技機の周囲音の発生要因には、遊技者の遊技動作とは関わりの薄いものもあるため、遊技機の周囲音は、いわゆる変動騒音（音圧レベルが不規則かつ連続的に変動する騒音）となり、遊技者が恣意的にコントロールすることは難しい。このため遊技機の動作中に騒音計で検知される周囲音の音圧レベルは、時々刻々と不規則に変化するものであるので、その音圧レベルを騒音レベル値として出力した数値は、乱数的要素の高いものである。このため騒音レベル値を用いて抽選用乱数に揺らぎを与えることによって、効果的に不正行為を防止することが期待できる。
【００７２】
続いて図８〜図１０のフローチャートを参照しながら本実施形態の手法を実現する遊技機の制御処理の例を説明する。
【００７３】
まず通常モードを例に取り、図８を参照しながら、制御処理の全体の流れを説明する。
【００７４】
まず遊技者がスタートレバーＳＬを押下してスタートスイッチが作動すると（ステップＳ１０でＹ）、内部抽選が行われる（ステップＳ１１）。
【００７５】
続いて遊技者が行うストップボタンＢ１〜Ｂ３の押下操作に応じて第１リールＲ１〜第３リールＲ３の停止制御処理が行われる（ステップＳ１２）。すなわち内部抽選の結果に応じて引き込み処理や蹴飛ばし処理を行う。
【００７６】
第１リールＲ１〜第３リールＲ３の全てが停止すると、その停止状態に応じて入賞チェックが行われる。（ステップＳ１３〜Ｓ１５）具体的には、小役が入賞した場合には（ステップＳ１３でＹ）、メダルの払い出しを行う払出制御処理が行われる（ステップＳ１６）。リプレイが入賞した場合には（ステップＳ１４でＹ）、次回の遊技に関してメダルの投入を要さずに前回の遊技と同じ有効ラインを有効化して準備状態に設定するリプレイ処理が行われる（ステップＳ１７）。ＢＢ又はＲＢが入賞した場合には（ステップＳ１５でＹ）、ＢＢモード又はＲＢモードへ遊技モードを移行させるモード移行制御処理が行われる（ステップＳ１８）。なお小役、リプレイ、ＢＢ、及びＲＢのいずれの入賞もなかった場合には（ステップＳ１３〜Ｓ１５でＮ）、次回の遊技の開始を待機する（ステップＳ１０へ）。
【００７７】
なおＢＢモードでは、小役等の入賞率がアップし、通常モードよりも多くのメダルが短時間で獲得できるＢＢ遊技が実行される。そして、ＢＢ遊技は、メダルが４６５枚払い出されるまで継続され、メダルの払出枚数が４６５枚に達すると、ＢＢモードは終了して通常モードへ復帰する。またＲＢモードでは、小役等の入賞率がアップしたＲＢ遊技が行われ、８回の小役等の入賞が達成された場合、あるいは１２ゲームのＲＢ遊技が消化された場合にはＲＢモードが終了して通常モードへ復帰する。
【００７８】
次に図９及び図１０を参照しながら、内部抽選処理についてより詳細に説明する。
【００７９】
図９は、内部抽選処理の例を示すフローチャートである。
【００８０】
まずスタートスイッチの作動に基づいて（ステップＳ１００でＹ）、カウンタからカウント値Ａを取得するとともに（ステップＳ１０１）、騒音計から騒音レベル値Ｂを取得する（ステップＳ１０２）。続いて、カウント値Ａに対して騒音レベル値Ｂを加算することにより乱数値Ｃを求める（ステップＳ１０３）。
【００８１】
こうして求められた乱数値Ｃを抽選テーブルと比較することにより抽選を行い（ステップＳ１０４）、抽選結果に応じて当選役のフラグを設定することで内部抽選を完了する（ステップＳ１０５）。
【００８２】
図１０は、内部抽選処理の他の例を示すフローチャートである。
【００８３】
まずスタートスイッチの作動に基づいて（ステップＳ１１０でＹ）、カウンタからカウント値Ａを取得するとともに（ステップＳ１１１）、騒音計から騒音レベル値Ｂを取得する（ステップＳ１１２）。そしてカウント値Ａと閾値Ａｔｈとの大小関係を判定する（ステップＳ１１３）。
【００８４】
カウント値Ａが閾値Ａｔｈ以下である場合には（ステップＳ１１３でＹ）、カウント値Ａに対して騒音レベル値Ｂを加算することにより乱数値Ｃを求める（ステップＳ１１４）。
【００８５】
一方、カウント値が閾値Ａｔｈより大きい場合には（ステップＳ１１３でＮ）、カウント値Ａから騒音レベル値Ｂを減算することにより乱数値Ｃを求める（ステップＳ１１５）。
【００８６】
こうしてステップＳ１１４あるいはステップＳ１１５で求められた乱数値Ｃを抽選テーブルと比較することにより抽選を行い（ステップＳ１１６）、抽選結果に応じて当選役のフラグを設定することで内部抽選を完了する（ステップＳ１１７）。
【００８７】
なお、本発明は、上記の実施形態で説明したものに限らず、種々の変形実施が可能である。
【００８８】
上記実施形態では遊技媒体としてメダルを用いる遊技機を例に取り説明したが、本実施形態の乱数発生手法は、遊技球（パチンコ玉）を遊技媒体として扱う遊技機（弾球遊技機、パチンコ機）に対しても適用することができる。
【００８９】
また上記実施形態では、遊技モードとして、通常モード、ＢＢモード、ＲＢモードを設定したが、これら以外の遊技モードを設定してもよい。例えば第１リールＲ１〜第３リールＲ３の少なくともいずれか１つ以上を無制御状態（小役のフラグが全て内部当選状態に設定され、ストップボタンが押下されたタイミングに応じてリールが停止する状態）とするチャレンジタイム（ＣＴ）モード、次回の遊技に際して遊技媒体の投入（ベット）が不要となるリプレイ（再遊技役）の当選確率を変動させたリプレイタイム（ＲＴ）モード、ＲＴモードへの移行確率が高くなるＲＴ移行高確率モード、ストップボタンを押下する順序を報知する、あるいは、有効ラインＬ１〜Ｌ５上に停止させるべき図柄を報知するなど、遊技に伴う操作を遊技者に促すことによって、特定の役を入賞させることを可能にするアシストタイム（ＡＴ）モード、ＡＴモードへの移行確率が高くなるＡＴ移行高確率モード、特定の役に当選した場合にこれを貯留させるストックタイム（ＳＴ）モード、貯留された役の放出確率が高くなる放出高確率モードなどの遊技モードを設定してよい。
【００９０】
また上記実施形態では、カウンタの出力するカウント値と騒音計の出力する騒音レベル値とを加算や減算を利用して抽選用乱数を求めたが、乗算や除算などにより求めてもよいし、加算、減算、乗算、除算を含めた四則演算の任意の組合せによって、抽選用乱数を求めるようにしてもよい。
【図面の簡単な説明】
【００９１】
【図１】本実施形態の遊技機の外観構成を示す斜視図である。
【図２】本実施形態の遊技機の機能を説明するためのブロック図である。
【図３】騒音計の構成及び機能を説明するための図である。
【図４】本実施形態の遊技機の乱数発生手法を説明するための図である。
【図５】抽選テーブルの設定例を示す図である。
【図６】本実施形態の遊技機の乱数発生手法を説明するための図である。
【図７】本実施形態の遊技機の乱数発生手法を説明するための図である。
【図８】本実施形態の遊技機の制御処理例を示すフローチャート図である。
【図９】本実施形態の遊技機の制御処理例を示すフローチャート図である。
【図１０】本実施形態の遊技機の制御処理例を示すフローチャート図である。
【符号の説明】
【００９２】
ＢＸ  収納箱、ＵＤ  前面上扉、ＤＤ  前面下扉、ＤＷ  表示窓、
ＮＭ  騒音計、ＨＬ  通孔、ＤＳ  遊技情報表示部、
Ｒ１  第１リール、Ｒ２  第２リール、Ｒ３  第３リール、
Ｂ０  ベットボタン、ＳＬ  スタートレバー、Ｂ１〜Ｂ３  ストップボタン、
ＭＩ  メダル投入口、ＭＯ  メダル払い出し口、ＭＰ  メダル受け皿、
１００  遊技制御手段、１１０  乱数発生手段、１１２  カウント手段、
１１４  スケーリング手段、１２０  抽選手段、１３０  リール停止制御手段、
１４０  演出制御手段、１５０  入賞チェック手段、１６２  払出制御手段、
１６４  リプレイ処理手段、１６６  モード移行制御手段、１７０  記憶手段、
１７２  乱数要素記憶手段、１７４  抽選テーブル記憶手段、１７６  フラグ記憶手段、
１７８  停止制御テーブル記憶手段、２００  騒音計、２１０  メダル投入スイッチ、
２２０  ベットスイッチ、２３０  スタートスイッチ、２４０  ストップスイッチ、
３１０  リールユニット、３２０  ホッパーユニット、３３０  表示装置、
３４０  スピーカ
【図１】
2007167373.tif 000003
【図２】
2007167373.tif 000004
【図３】
2007167373.tif 000005
【図４】
2007167373.tif 000006
【図５】
2007167373.tif 000007
【図６】
2007167373.tif 000008
【図７】
2007167373.tif 000009
【図８】
2007167373.tif 000010
【図９】
2007167373.tif 000011
【図１０】
2007167373.tif 000012